(57)【特許請求の範囲】
【請求項１】
操作部が配設される操作パネルを前面に有する加熱調理器本体を、キッチンキャビネットの上面に形成した上面開口部から挿入し、前記キッチンキャビネットの前面に形成した前面開口部に前記操作パネルを臨ませて設置する組込式加熱調理器の前記操作パネルの取り付け方法であって、
前記操作パネルの左右方向の端部から延長して係止片を設け、
前記加熱調理器本体の前面の左右方向の端縁と連なる前記加熱調理器本体の側面には、前記係止片を塑性変形させて係止する被係止部を設け、
前記係止片の、前記被係止部の外端縁の外側部分をカシメ処理して、前記被係止部の外端縁の外側で前記係止片が前記加熱調理器本体の内側に屈曲し塑性変形して、前記係止片において前記操作パネルの後面と連なる面である前記係止片の裏面が前記被係止部の後面と当接する係止状態で前記係止片が前記被係止部に係止した状態とするとともに、
前記係止片として、前記被係止部の外端縁の外側と対向する位置に、前記係止状態においてマイナスドライバーの先端を挿通可能に挿通孔を設けた係止片を用い、かつ、
前記被係止部を、その外端縁には、前記挿通孔と対向する位置に、前記係止状態において前記マイナスドライバーの先端を収容して前記マイナスドライバーの先端の前記係止片の裏面への当接が可能な収容凹部を設けた構成とすること
を特徴とする組込式加熱調理器の操作パネルの取り付け方法。
【請求項２】
前記マイナスドライバーが、すりわり付きＭ４なべ小ネジ用のマイナスドライバーであることを特徴とする請求項１に記載の組込式加熱調理器の操作パネルの取り付け方法。
【発明の詳細な説明】
【技術分野】
【０００１】
本発明は、一般家庭で使用する組込式加熱調理器に関するものである。
【背景技術】
【０００２】
従来、調理器本体をキッチンキャビネットの天面の開口部から挿入し、キャビネットの前面開口部に加熱調理器本体の前面に備える操作部が配設される操作パネルをのぞませるように設置した組込式調理器が知られている（例えば特許文献１）。
【０００３】
このような加熱調理器において、加熱調理器の本体を構成する材料としては、めっき鋼板が用いられることが多く、操作パネルを構成する材料としては、印刷を施したアルミ板やカラーコート鋼板が用いられることがある。
【０００４】
このような場合、加熱調理器を製造する際の組立性を向上するためや、使用するネジの本数を削減して省資源で加熱調理器を構成するために、カシメによって操作パネルを加熱調理器の本体の前面に固定されることがある。
【先行技術文献】
【特許文献】
【０００５】
【特許文献１】特開２００９−１８１８６８号公報
【発明の概要】
【発明が解決しようとする課題】
【０００６】
一方、リサイクルを促進するためには、加熱調理器を廃棄する際に、加熱調理器を構成する材料毎に分別して加熱調理器を分解する必要がある。
【０００７】
しかし、操作パネルをカシメによって加熱調理器の本体の前面に固定した場合、カシメ位置やカシメ方向によってはカシメ箇所の取り外しが困難であり、操作パネルを加熱調理器の本体から取り外すことが困難なことが多く、分解を容易にするために、改善が望まれるものであった。
【０００８】
本発明は、上記の課題を解決するもので、操作パネルを加熱調理器の本体の前面にカシメによって固定できて省資源であり、かつ、操作パネルを加熱調理器の本体から取り外すことが容易でありリサイクルのための分別が容易な、環境に配慮した加熱調理器を提供することを目的とする。
【課題を解決するための手段】
【０００９】
上記従来の課題を解決するために、本発明の組込式加熱調理器の操作パネルの取り付け方法は、
操作部が配設される操作パネルを前面に有する加熱調理器本体を、キッチンキャビネットの上面に形成した上面開口部から挿入し、前記キッチンキャビネットの前面に形成した前面開口部に前記操作パネルを臨ませて設置する組込式加熱調理器の前記操作パネルの取り付け方法であって、前記操作パネルの左右方向の端部から延長して係止片を設け、前記加熱調理器本体の前面の左右方向の端縁と連なる前記加熱調理器本体の側面には、前記係止片を塑性変形させて係止する被係止部を設け、前記係止片の、前記被係止部の外端縁の外側部分をカシメ処理して、前記被係止部の外端縁の外側で前記係止片が前記加熱調理器本体の内側に屈曲し塑性変形して、前記係止片において前記操作パネルの後面と連なる面である前記係止片の裏面が前記被係止部の後面と当接する係止状態で前記係止片が前記被係止部に係止した状態とするとともに、前記係止片として、前記被係止部の外端縁の外側と対向する位置に、前記係止状態においてマイナスドライバーの先端を挿通可能に挿通孔を設けた係止片を用い、かつ、前記被係止部を、その外端縁には、前記挿通孔と対向する位置に、前記係止状態において前記マイナスドライバーの先端を収容して前記マイナスドライバーの先端の前記係止片の裏面への当接が可能な収容凹部を設けた構成とすることを特徴とする操作パネルの取り付け方法である。
【００１０】
上記構成により、操作パネルの側方端部から延設される係止片を塑性変形させることで、加熱調理器本体の側面に備える被係止部に係止させて、所謂カシメによって操作パネルを加熱調理器本体の前面に取り付けた場合であっても、マイナスドライバーの先端が挿通可能な挿通孔からマイナスドライバーの先端を挿入し、その後さらに、マイナスドライバーの先端を収容可能な収容凹部にマイナスドライバーの先端を挿入しマイナスドライバーの先端の前記係止片の裏面に当接させた後に、マイナスドライバーの先端によって屈曲し塑性変形した係止片を屈曲する前の形状に戻して、係止片と被係止部との係合を解除することが容易に出来るから、加熱調理器本体の前面からの操作パネルの取り外しが容易で、加熱調理器を廃棄する際のリサイクルのための分別を容易に行うことができる。
【００１１】
また、前記マイナスドライバーが、すりわり付きＭ４なべ小ネジ用のマイナスドライバーであるように構成することが好ましい。
【００１２】
このように構成した場合、上記効果に加えて、一般的に用いられているすりわり付きＭ４なべ小ネジ用のマイナスドライバーを用いて係止片と被係止部との係合を解除することが容易に出来て好都合である。
【発明の効果】
【００１３】
本発明の組込式加熱調理器の操作パネルの取り付け方法によると、組込式加熱調理器において、操作パネルを加熱調理器の本体の前面にカシメによって固定できて省資源であり、かつ、操作パネルを加熱調理器の本体から取り外すことが容易であり、リサイクルのための分別を容易に行うことが可能となる。
【図面の簡単な説明】
【００１４】
【図１】本発明の実施形態における組込式加熱調理器の斜視図
【図２】同上の組込式加熱調理器で、操作パネルが取り付けられる、加熱調理器本体の前面を示す正面図
【図３】同上の加熱調理器本体の前面の周辺だけを示す側面図
【図４】同上の組込式加熱調理器で、操作パネルを示す正面図
【図５】同上の操作パネルを示す側面図
【図６】同上の加熱調理器本体の前面に操作パネルを装着し係止片を屈曲させる前の状態を示す側面図
【図７】同上の加熱調理器本体の前面に操作パネルを装着し係止片を屈曲させた後の状態を示す側面図
【発明を実施するための形態】
【００１５】
以下、本発明の実施の形態について図面を参照しながら説明する。なお、この実施の形態によって本発明が限定されるものではない。
【００１６】
〔第１実施形態〕
図１は本発明の組込式加熱調理器の第１実施形態としてのドロップインコンロＡを示す。
【００１７】
ドロップインコンロＡの本体１はキッチンキャビネット（不図示）の上面開口部から落とし込まれて設置される。また、キッチンキャビネット上面開口部よりも大きい、本体１の上部開口を覆うための天板２（図１）と、３つのコンロバーナ３が天板２に設けた開口を貫通して天板２の上方に露出させている。
また、図１に示すように、本体１の前面には収納式操作部Ｓがその下に配列される操作パネルＰを臨ませて備えており、操作パネルＰは後述するように本体１の前面を構成する部品である本体前板５にカシメによって固定されており、カシメによって固定されている箇所は、上記キッチンキャビネットの前面に形成した前面開口に操作パネルＰを臨ませて設置されたときに、キッチンキャビネットの前面に形成した前面開口と操作パネルＰの間に生じる間隙を埋めるサイドモール２０で覆われるように、サイドモール２０が取り付けられている。
【００１８】
図１に示すように、操作パネルＰには、コンロバーナ３の点消火や火力調節を行うための手動操作部ＳＳが、３つのコンロバーナ３の夫々に対応して３つ配設されている。
【００１９】
図１に示すように、ドロップインコンロＡには、グリルバーナ（不図示）を具備するグリルＧを備えている。
【００２０】
又、図１に示すように、グリルＧの燃焼排ガスを排気するためのグリル排気口４が形成され、ガラス製の天板２にてガスコンロ上面が覆われており、この天板２の上部に、３つのコンロバーナ３に対する被加熱物（鍋など）を受け止め支持するための五徳３ａが載置支持されている。
【００２１】
又、図１に示すように、ガスコンロ前面の操作パネルＰには３つのコンロバーナ３とグリルバーナ（不図示）との点火及び消火や火力調節と各種の設定とを指令する操作部Ｓが設けられ、各種の制御を実行するように構成された燃焼制御部（不図示）が、その操作部Ｓにて指令された運転状態に基づいて、３つのコンロバーナ３とグリルバーナを制御するように構成されている。
【００２２】
操作パネルＰは本体１の前面にカシメによって固定されており、以下この点について説明する。
図２は、操作パネルＰが取り付けられる、本体１の前面を構成する部品である本体前板５の正面図であり、図３は、図２における矢印Ｌの方向に本体前板５を見たときの本体前板５の側面図である。
本実施形態において本体前板５は、めっき鋼板を用いて構成され、図２、図３に示すように、本体前板５の左右の両側方には、本体１の前面を構成する部品である本体前板５の前面５ａの左右両側から後方に延設された側片５ｂの一部を切り欠いて、本体前板５の前面５ａの左右両側の端面およびこの端面と連なる本体前板５の前面５ａの後面部分５ｃで構成される、被係止部６を備える。また、本体前板５の前面５ａの左右両側の端面、すなわち、被係止部６の外端縁の一部を切り欠いて収容凹部６ａを形成している。
被係止部６および収容凹部６ａについては、後で詳述する。
【００２３】
つぎに、本体前板５の前面５ａに取り付けられる操作パネルＰについて説明する。
図４は、本体前板５の前面５ａに取り付けられる操作パネルＰを示す正面図であり、図５は操作パネルＰを左から見た側面図である。
本実施形態において操作パネルＰは、プレコートカラー鋼板で構成され、図４、図５に示すように、操作パネルＰの左右端から後方に向けて、係止片７が延設されている。係止片７には挿通孔８を設けてあり、挿通孔８については後で詳述する。
【００２４】
なお、操作パネルＰの上端から後方に、本体前板５との上下方向の位置決めを行うための上面片１０が後方に延設されている。また、操作パネルＰの前面には、３つの手動操作部ＳＳ（図１）が挿通する手動操作部挿通用の孔１１が穿設されている。
【００２５】
つぎに、本体１の前面を構成する部品である本体前板５の前面５ａに操作パネルＰがカシメによって固定される点について説明する。
操作パネルＰの前面の左右両側端から後方に延設されている操作パネルＰの側片の後方端を本体前板５の前面５ａに沿わせて、かつ、上面片１０の下面を本体前板５の上面に沿わせることで、操作パネルＰが本体前板５に対して位置決めされ、図６に示すように、本体１の前面に操作パネルＰを装着し係止片７を屈曲させる前の状態となる。この図６の状態では、被係止部６の外端縁の外側に係止片７が位置している。
【００２６】
この図６の状態から係止片７を本体１の内側に相当する方向である、本体前板５の左右方向の中心側の方向に屈曲させ塑性変形させると、図７に示すように、係止片７の操作パネルＰの後面と連なる面である係止片７の裏面が、被係止部６の後面と当接する係止状態にとなり、係止片７が被係止部６にカシメによって係止した状態に至る。このように、本体前板５の前面５ａに操作パネルＰがネジ等の別の構成部品を使用せずカシメによって固定されており省資源である。
【００２７】
なお、カシメによって固定されている箇所は、キッチンキャビネットの前面に形成した前面開口に操作パネルＰを臨ませて設置されたときに、キッチンキャビネットの前面に形成した前面開口と操作パネルＰの間に生じる間隙を埋めるサイドモール２０で覆われるように、サイドモール２０が取り付けられるから、カシメによって固定されている箇所が使用者に視認されて外観を損なうことはない。
【００２８】
図７に示す、係止片７の裏面が被係止部６の後面と当接する係止状態、つまり、係止片７が被係止部６にカシメによって係止した状態で、挿通孔８が被係止部６の外端縁の外側と対向する位置に位置し、被係止部６の外端縁に備える収容凹部６ａが挿通孔８の内側に臨んで位置するように構成されている。
【００２９】
この図７に示す状態で、汎用工具である、すりわり付きＭ４なべ小ネジ用のマイナスドライバーの先端が挿通孔８に挿通して、このマイナスドライバーの先端を収容凹部６ａ内に挿入することが出来て、マイナスドライバーの先端を係止片７の裏面に当接させることが出来る。
【００３０】
そして、マイナスドライバーの先端を係止片７の裏面に当接させた後に、マイナスドライバーの先端によって屈曲し塑性変形した係止片７を屈曲する前の形状に戻して、係止片７と被係止部６との係合を解除することが容易に出来る。したがって、本体１の前面を構成する本体前板５からの操作パネルＰの取り外しが容易で、ドロップインコンロＡを廃棄する際のリサイクルのための分別を容易に行うことができる。
【００３１】
〔別実施例〕
（１）上記実施形態では、操作パネルＰの左右両端を、係止片７を被係止部６にカシメによって係合するように構成しているが、操作パネルＰの左右のうちのいずれか一方だけに設けた係止片７のカシメによって係合するように構成しても良い。
（２）上記実施形態では、すりわり付きＭ４なべ小ネジ用のマイナスドライバーの先端が挿通孔８に挿通して、このマイナスドライバーの先端を収容凹部６ａ内に挿入することが出来て、マイナスドライバーの先端を係止片７の裏面に当接させるように構成しているが、上記とは異なるサイズのマイナスドライバーを用いることを想定した構成としてもよい。
【産業上の利用可能性】
【００３２】
本発明にかかる、２つ以上の部品をカシメによって固定して省資源であり、しかも、標準的な工具を用いての取り外しが容易な、操作パネルの取り付け方法は、ガスドロップインコンロに限らず一般家庭で使用するキッチンキャビネットの前面開口部に操作部を配置する組込式加熱調理器等の用途に広く適用できる。
【符号の説明】
【００３３】
１            本体
２            天板
３            コンロバーナ
３ａ          五徳
４            グリル排気口
５            本体前板
５ａ          本体前板５の前面
５ｂ          側片
５ｃ          後面部分
６            被係止部
６ａ          収容凹部
７            係止片
８            挿通孔
１０          上面片
１１          手動操作部挿通用の孔
２０          サイドモール
Ａ            ドロップインコンロ
Ｇ            グリル
Ｌ            側面の矢視方向
Ｐ            操作パネル
Ｓ            操作部
ＳＳ          手動操作部
【図３】
0005878027.tif 000002
【図５】
0005878027.tif 000003
【図６】
0005878027.tif 000004
【図７】
0005878027.tif 000005
【図１】
0005878027.tif 000006
【図２】
0005878027.tif 000007
【図４】
0005878027.tif 000008